(57)【要約】      （修正有）【課題】ユーザーが欲しい特定の楽曲の楽曲名で、複数個の楽曲データベースより該楽曲を蓄積している楽曲データベースをすばやく検索し、該楽曲データベースより蓄積された楽曲データを的確に抽出することができる楽曲仲介システムを提供する。【解決手段】特定の楽曲名を携帯電話やパソコン等の情報端末装置を用いて入力する楽曲名入力手段と、この楽曲名入力手段により入力された楽曲名を楽曲名記録データにより検索するとともに楽曲データベース選択情報データより複数個の楽曲データベースのどの楽曲データベースに当該楽曲が蓄積されているかを選択する検索選択装置と、この検索選択装置で選択された楽曲を楽曲データベースより抽出してネットワークを介して情報端末装置に配信する課金機能を備える楽曲抽出手段とで楽曲仲介システムを構成している。【選択図】図２
2008299044.tif 000002
【特許請求の範囲】
【請求項１】
それぞれ特徴のある分野の楽曲が蓄積された複数個の楽曲データベースと、この複数個の楽曲データベースに蓄積された楽曲データのうち、楽曲名のみを記録する楽曲名記録データと、この楽曲名記録データに記録された楽曲が前記複数個の楽曲データベースのどこに蓄積されているかが記録された楽曲データベース選択情報データと、特定の楽曲名を携帯電話やパソコン等の情報端末装置を用いて入力する楽曲名入力手段と、この楽曲名入力手段により入力された楽曲名を前記楽曲名記録データにより検索するとともに、前記楽曲データベース選択情報データより前記複数個の楽曲データベースのどの楽曲データベースに当該楽曲が蓄積されているかを選択する検索選択装置と、この検索選択装置で選択された楽曲を前記楽曲データベースより抽出してネットワークを介して情報端末装置に配信する課金機能を備える楽曲抽出手段とからなることを特徴とする楽曲仲介システム。  
【発明の詳細な説明】
【技術分野】
【０００１】
本発明はユーザーが携帯電話やパソコン等の情報端末装置を用いて、欲しい特定の楽曲を得ることができる楽曲仲介システムに関する。
【背景技術】
【０００２】
従来、特定の楽曲を配信する場合、楽曲データを蓄積した特定のデータベースか、あるいはインターネット等のネットワークを介して情報端末装置に配信する方法が用いられている。
【０００３】
しかしながら、楽曲データの蓄積はすべての楽曲データが蓄積されているのではなく、それぞれ特徴のある分野の楽曲を蓄積している複数個のベンダーと称される楽曲データベースから取得しなければならず、欲しい楽曲を取得するためには当該楽曲を蓄積している楽曲データベースが見つかるまで、複数個の楽曲データベースにアクセスしなければならないという欠点があった。
また、特に古い楽曲や海外の楽曲等は、当該楽曲を蓄積している楽曲データベースを探すのが大変であった。
【特許文献１】特開２００２−１２３２７２
【発明の開示】
【発明が解決しようとする課題】
【０００４】
本発明は以上のような従来の欠点に鑑み、ユーザーが欲しい特定の楽曲の楽曲名で、複数個の楽曲データベースより該楽曲を蓄積している楽曲データベースをすばやく検索し、該楽曲データベースより蓄積された楽曲データを的確に抽出することができる楽曲仲介システムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はそれぞれ特徴のある分野の楽曲が蓄積された複数個の楽曲データベースと、この複数個の楽曲データベースに蓄積された楽曲データのうち、楽曲名のみを記録する楽曲名記録データと、この楽曲名記録データに記録された楽曲が前記複数個の楽曲データベースのどこに蓄積されているかが記録された楽曲データベース選択情報データと、特定の楽曲名を携帯電話やパソコン等の情報端末装置を用いて入力する楽曲名入力手段と、この楽曲名入力手段により入力された楽曲名を前記楽曲名記録データにより検索するとともに、前記楽曲データベース選択情報データより前記複数個の楽曲データベースのどの楽曲データベースに当該楽曲が蓄積されているかを選択する検索選択装置と、この検索選択装置で選択された楽曲を前記楽曲データベースより抽出してネットワークを介して情報端末装置に配信する課金機能を備える楽曲抽出手段とで楽曲仲介システムを構成している。
【発明の効果】
【０００７】
以上の説明から明らかなように、本発明にあっては次に列挙する効果が得られる。
【０００８】
（１）それぞれ特徴のある分野の楽曲が蓄積された複数個の楽曲データベースと、この複数個の楽曲データベースに蓄積された楽曲データのうち、楽曲名のみを記録する楽曲名記録データと、この楽曲名記録データに記録された楽曲が前記複数個の楽曲データベースのどこに蓄積されているかが記録された楽曲データベース選択情報データと、特定の楽曲名を携帯電話やパソコン等の情報端末装置を用いて入力する楽曲名入力手段と、この楽曲名入力手段により入力された楽曲名を前記楽曲名記録データにより検索するとともに、前記楽曲データベース選択情報データより前記複数個の楽曲データベースのどの楽曲データベースに当該楽曲が蓄積されているかを選択する検索選択装置と、この検索選択装置で選択された楽曲を前記楽曲データベースより抽出してネットワークを介して情報端末装置に配信する課金機能を備える楽曲抽出手段とで構成されているので、楽曲名入力手段で楽曲名を入力すると、検索選択装置で楽曲名記録データで検索するとともに、楽曲データベース選択情報データより当該楽曲がどの楽曲データベースに蓄積されているかを検索し、楽曲抽出手段で楽曲を抽出することができる。
したがって、複数個の楽曲データベースをアクセスすることなく、すばやく検索して抽出することができる。
【０００９】
（２）前記（１）によって、すばやく検索して抽出することができるので、気軽に欲しい特定の楽曲を得ることができる。
【発明を実施するための最良の形態】
【００１０】
以下、図面に示す本発明を実施するための最良の形態により、本発明を詳細に説明する。
【００１１】
図１ないし図３に示す本発明を実施するための最良の第１の形態において、１は欲しい特定の楽曲名を入力するだけで複数個の楽曲データベースから、この欲しい特定の楽曲を蓄積している楽曲データベースを検索して、該楽曲データベースより楽曲を抽出することができる本発明の楽曲仲介システムで、この楽曲仲介システム1はそれぞれ特徴のある分野の楽曲が蓄積された複数個の楽曲データベース２、２、２・・・と、この複数個の楽曲データベース２、２、２・・・に蓄積された楽曲データのうち、楽曲名のみを記録する楽曲名記録データ３と、この楽曲記録データ３に記録された楽曲が前記複数個の楽曲データベース２、２、２・・・のどこに蓄積されているかが記録された楽曲データベース選択情報データ4と、欲しい特定の楽曲名を携帯電話やパソコン等の情報端末装置５を用いて入力する楽曲名入力手段６と、この楽曲名入力手段６により入力された楽曲名を前記楽曲名記録データ３により検索するとともに、前記楽曲データベース２、２、２・・・のどの楽曲データベース２に当該楽曲が蓄積されているかを選択する検索選択装置７と、この検索選択装置７で選択された楽曲を、前記楽曲データベース２より抽出してインターネット等のネットワークを介して情報端末装置５に配信する課金機能８を備える楽曲抽出手段９とで構成されている。
【００１２】
前記欲しい特定の楽曲とは、利用するユーザーの好みによって選ばれた歌や曲（映像も含む）等の楽曲あるいは楽曲群のことをいい、１曲のときもあれば十数曲になるときもある。
また、ヒットチャートや１９７０年代の洋楽邦楽からリコメンドされた楽曲あるいは楽曲群のこともある。
楽曲群とは「プレイリスト」と称される。
【００１３】
前記複数個の楽曲データベース２、２、２・・・とはいわゆるベンダーのことで、ナップスター、ＭＵＳＩＣＯ、ｅ‐ｍｕｓｉｃ、ミュウモミュージック、ＯＲＩＣＯＮＳＴＹＬＥ、ｃｌｕｂＤＡＭ、ＯｎＧｅｎＵＳＥＮ、ＭＵＳＩＣ  ＳＥＲＶＥＲ等がある。
ベンダーにはそれぞれ特徴があり、ヒットチャートを中心に扱うものや、洋楽を中心に扱うもの様々である。
いずれも膨大な量の楽曲を蓄積している。
【００１４】
前記楽曲名記録データ３とは各楽曲データベース２、２、２・・・から楽曲名だけを抜き出し、データベース化したもので、膨大な量の歌、曲あるいは映像を含めた楽曲をすべて蓄積することは不可能なので、楽曲の名前だけを取り出す。
重複する場合もあるので、サーバーにかかる負担は小さくなる。定期的に楽曲名データを受信し、データベースを更新する。
【００１５】
前記楽曲データベース選択情報データ４とは、例えば「Ａ」という楽曲が蓄積されている楽曲データベースは「い」「ろ」のベンダーであるというように、選択された楽曲名がどの楽曲データベース２、２、２・・・にあるかわかるように記録されている。
なお、楽曲データベース選択情報データ４は楽曲名記録データ３と別々に設置しなければならないというわけでなく、楽曲名記録データ３内に包含されていてもよい。
【００１６】
前記楽曲名入力手段６とは携帯電話やパソコン等の情報端末装置５のことで、ディスプレイに表示されたメニュー画面より楽曲名を入力する。
このとき、メニュー画面には楽曲名を直接入力することもできるし、「プレイリスト」があらかじめ表示されており、その中から選びたい楽曲を選択することもできる。
【００１７】
前記楽曲抽出手段９とは選択された楽曲名を、それが蓄積されている一つあるいは複数の楽曲データベース２、２、２・・・に対して抽出するように命令する。
【００１８】
前記検索選択装置７とは前記楽曲名記録データ３、前記楽曲データベース選択情報データ４および前記楽曲抽出手段９が設置されている。
なお、抽出された楽曲について、課金代行する機能も併せ持つ。
課金機能８は楽曲データベース２、２、２・・・から直接ユーザーに楽曲を送信する場合は、両者間に課金機能を持たせるが、楽曲データベース独自の課金システムを採用してもよい。
課金の決済方法は楽曲データベースにより異なる（カード、代引き等）。
【００１９】
上記構成の楽曲仲介システム１は欲しい楽曲を得る場合、ユーザーは携帯電話やパソコン等の情報端末装置５に欲しい楽曲名を入力する楽曲名入力手段６を行なうと、検索選択装置７の楽曲名記録データ３および楽曲データベース選択情報データ４より、当該楽曲名およびその楽曲を保有する複数個の楽曲データベース２、２、２・・・から一つあるいは複数個選択する。
前記楽曲名記録データ３にはあらかじめすべての楽曲データベース２、２、２・・・より楽曲名データのみが送信（提供）されており、楽曲名記録データ３に記録されている。
前記楽曲データベース選択情報データ４には楽曲名を送信（提供）したのが、どの楽曲データベース２、２、２・・・なのかを特定し、選択することができるように楽曲名に応じた送信（提供）データベース名情報が記録されている。
選択された一つあるいは複数個の楽曲データベース２、２、２・・・に対し、入力された楽曲を抽出するように楽曲抽出手段９から楽曲抽出命令が出て、楽曲抽出命令を受けた楽曲データベース２は当該楽曲を膨大な量のデータの中から該当する楽曲を抽出し、楽曲抽出手段９に送信する。
抽出された楽曲は楽曲抽出手段９、課金機能８を介して、直接ユーザーに送信（提供）される。
【産業上の利用可能性】
【００２０】
本発明はユーザーと複数個の楽曲データベースとの間で、ユーザーに欲しい楽曲をすばやく選択して提供する楽曲仲介システムを行なう産業で利用される。
【図面の簡単な説明】
【００２１】
【図１】本発明を実施するための最良の第１の形態の概略構成ブロック図。
【図２】本発明を実施するための最良の第１の形態の概略ブロック図。
【図３】本発明を実施するための最良の第１の形態のフローチャートである。
【符号の説明】
【００２２】
１：楽曲仲介システム、                ２：楽曲データベース、
３：楽曲名記録データ、                
４：楽曲データベース選択情報データ、
５：情報端末装置、                                    ６：楽曲名入力手段、
７：検索選択装置、                                    ８：課金機能、
９：楽曲抽出手段。            
【図１】
2008299044.tif 000003
【図２】
2008299044.tif 000004
【図３】
2008299044.tif 000005